(57)【特許請求の範囲】
【請求項１】
袋の口部を案内する案内通路の先端に設けられた結束部と、門形の結束用クリップを保持するとともに、このクリップの脚片を袋の口部を内側に取り込むようにして交差させる交差手段を有する送りユニットと、上記結束部をはさんで送りユニットと対向する位置に設けられて交差されたクリップの脚片の先端をかしめるかしめ機構を有するかしめユニットとを備え、手動操作により送りユニットを備えた送り手段を往復動可能とし、送り手段の往動途中で送り手段と同じ方向に往復動可能に設けられた作動バーに係合させ、さらに該作動バーとリンクを介して連結された上記かしめユニットを上記送り手段に接近する方向に移動させて上記かしめ機構を作動させ、上記送り手段の移動方向に沿う側縁部に鋸歯状の係合歯を連続形成し、上記送り手段の作動中に係合歯と対峙する位置には、上記係合歯に斜めに係合可能な逆止爪を送り手段の移動方向に回動可能で、かつ常時係合歯に対して直角に向くように付勢して配置するとともに、上記送り手段の係合歯の両端には上記逆止爪が係合不可能な欠損部を設け、両側の欠損部が逆止爪と向き合う位置まで送り手段を移動させ、上記送り手段が往動途中で停止して復動するときに上記逆止爪が係合歯に係合するようにしたことを特徴とする手動式袋結束機における逆止機構。
【発明の詳細な説明】
【０００１】
【発明の属する技術分野】
本発明は手動式袋結束機における逆止機構に関する。
【０００２】
【従来技術】
この種の袋結束機は、結束すべき袋の袋口を結束部に移動配置した後、合成樹脂製のＵ字状クリップを結束部に送り込み、クリップの両側の脚片を交差させ、さらに交差部をかしめることにより袋口を結束するものが知られている。ところが、従来の袋結束機は電動モータによって作動させる方式であったが、これは構造が複雑で大型化し、コストも高いので、手動式の簡便なものに対する要求が高まっている。
【０００３】
これに対応するものとして、ハンドル操作によってクリップ送り、脚片交差、かしめという３つの動作を行なわせる手動式袋結束機が提案されている。これは、ハンドルを一方向に往動させるときに上記３動作が順次行なわれ、ハンドルを逆方向に復動させることにより、逆の動作が行なわれて初期位置に復帰させるように構成されている。
【０００４】
【発明が解決しようとする課題】
しかしながら、手動操作では、ハンドルを往動する途中で操作を止め、そのまま復動してしまうと、かしめが行なわれなかったり、結束不良になったり、次のクリップが送られたときに詰まってしまったりするという不都合が発生する。
【０００５】
本発明は上記問題点を解消し、手動による結束操作を途中で止めて元に戻すことを有効に防止することができる手動式袋結束機における逆止機構を提供することをその課題とする。
【０００６】
【課題を解決するための手段】
前記課題を解決するため、本発明に係る手動式袋結束機における逆止機構は、袋の口部を案内する案内通路の先端に設けられた結束部と、門形の結束用クリップを保持するとともに、このクリップの脚片を袋の口部を内側に取り込むようにして交差させる交差手段を有する送りユニットと、上記結束部をはさんで送りユニットと対向する位置に設けられて交差されたクリップの脚片の先端をかしめるかしめ機構を有するかしめユニットとを備え、手動操作により送りユニットを備えた送り手段を往復動可能とし、送り手段の往動途中で送り手段と同じ方向に往復動可能に設けられた作動バーに係合させ、さらに該作動バーとリンクを介して連結された上記かしめユニットを上記送り手段に接近する方向に移動させて上記かしめ機構を作動させ、上記送り手段の移動方向に沿う側縁部に鋸歯状の係合歯を連続形成し、上記送り手段の作動中に係合歯と対峙する位置には、上記係合歯に斜めに係合可能な逆止爪を送り手段の移動方向に回動可能で、かつ常時係合歯に対して直角に向くように付勢して配置するとともに、上記送り手段の係合歯の両端には上記逆止爪が係合不可能な欠損部を設け、両側の欠損部が逆止爪と向き合う位置まで送り手段を移動させ、上記送り手段が往動途中で停止して復動するときに上記逆止爪が係合歯に係合するようにしたことを特徴とする。
【０００７】
【発明の実施の形態】
図１は本発明に係る手動式袋結束機の概要を示す側面図、図２はその平面図である。符号１はベース、２は支柱、３は結束機本体、４はハンドルを示す。ハンドル４の基端は支柱２に設けられた回動軸５に支持され、回動軸５には第１のリンク６が固定され、さらに第１のリンク６はＹ字形に連結されたリンク７に連結されている。Ｙ字形リンク７の二股部分の一方の端部８は支柱２に固定され、他方の端部９は送り手段１０に連結されている。また、回動軸５には捩りコイルバネ１４が取り付けられ、ハンドル４を常時図１に実線で示す初期位置にあるように付勢している。
【０００８】
送り手段１０は送り板１０ａとその一側に設けられた送りバー１０ｂとから構成され、結束機本体３に一定の範囲で前後に移動可能に設けられている。送り板１０ａ上には板状のキャリア１４が一定の範囲で前後方向に移動可能に配置されている。キャリア１４の後端には外方に突出する突片１２が形成され、キャリア１４は図２に示す初期位置と上記突片１２がガイドレール１３の後端部に係合する位置（図３の位置）との間を前進後退することができるように設けられている。
【０００９】
キャリア１４上には送りユニット１１が一定の範囲で前後方向に移動可能に配置されている。送りユニット１１はクリップの保持部１１ａと交差用作動リンク支持部１１ｂと後端部１１ｃと作動プレート１８とを含む。保持部１１ａは図３に示されるように、連結クリップの先頭のクリップａの脚片１５を保持するように形成されている。交差用作動リンク支持部１１ｂには作動リンク１７が回動自在に支持され、この作動リンク１７は作動プレート１８に軸着された１対のＬ字形リンク２０と連結して交差手段１６を構成している。作動プレート１８は送りユニット１１の他の部材とは異なる範囲と異なるタイミングで送り手段１０と連動するように構成されている。なお、作動リンク１７の先端のピンはクリップａの脚片１５の係合孔２３（図８参照）に係合するように形成されている。なお、作動プレート１８は送りユニット１１の前進が停止した後に送り手段１０に係合してＬ字形リンク２０を作動させるように構成されている。
【００１０】
なお、上記手動式袋結束機には、図８に示されるように、多数の結束用クリップａをテープ状に連結した連結クリップが使用される。ただし、本実施態様においては、その一部のみを示した。
【００１１】
また、結束機本体３には袋ｂの口部２１を案内する案内通路２４が形成され、その先端には結束部２５が設けられている。
【００１２】
次に、結束部２５をはさんで送りユニット１１の反対側にはかしめユニット２６が設けられている。このかしめユニット２６は、特願平１１ー０６７４５２号の図３に示されたドライバプレート２７に設けられたローラ３８が結束部２５側に移動することにより交差されたクリップａの脚片１５の先端をかしめるもので、かしめた後は図６のようになるのであるが、かしめ機構の説明はここでは省略する。
【００１３】
ところで、上記送り手段１０は作動バー２８を介してかしめ機構２９に連結されている。すなわち、送り手段１０の側部に一体に設けられた送りバー１０ｂの両端には凸部３０、３１が形成されている。また、上記送りバー１０ｂの側部には下向きに開口する門形の作動バー２８が送り手段１０と平行に移動可能に設けられている。作動バー２８の一方の脚部３２は切欠きされ、この切欠き部３３の間に上記送りバー１０ｂの前側の凸部３１が係合可能に進入している。さらに、作動バー２８の前端部と上記ドライバプレート２７とはリンク３４で連結されている。リンク３４の中央部は支軸３５によって回転自在に支持されている。
【００１４】
次に、上記構成の袋結束機の作動態様について説明すると、図２に示したように結束機本体３の案内通路２４から結束部２５に野菜やパンなどを収納した袋ｂの口部２１を挿入した後、ハンドル４を一方向に回動操作して送り手段１０を移動させると、送りユニット１１が前進し、その先端の保持部１１ａに保持されたクリップａは結束部２５に送り込まれる。この時点で図３に示すようにキャリア１４の突片１２はガイドレール１３の後端部に係合し、送りユニット１１の前進は停止する。さらにハンドル４を回し続けると、送り手段１０は前進し、これに伴って作動プレート１８も前進するので、交差手段１６を作動させる。すなわち、作動プレート１８がＬ字形リンク２０を押して作動リンク１７の先端を近接するように作動させるので、作動リンク１７のピンがクリップａの脚片１５を交差させる。作動プレート１８の両側突片１９はガイドレール１３の係合突部２２に係合し、それ以上は前進しない。
【００１５】
そして、上述のようにクリップａの脚片１５を交差させるための動作が行なわれる直前に、送り手段１０の送りバー１０ｂの後端凸部３０が作動バー２８の脚部３２の後端に係合するので、送り手段１０の前進移動に連動して作動バー２８が前進作動する。これにより、図４に示すようにリンク３４が支軸３５を中心にして揺動するから、かしめユニット２６のドライバプレート２７を逆方向に移動させるので、かしめ機構２９が作動し、交差した脚片１５がかしめられ、ハンドル４の作動も停止する。
【００１６】
かしめが終了した後、ハンドル４を逆方向に回転させると、送り手段１０も後退移動するので、上述とは逆に作動プレート１８が交差手段１６を解除作動させ、さらに送りユニット１１を結束部２５から退避動させて図５に示すように元の位置に復帰移動させる。その途中で送り手段１０の送りバー１０ｂの前端の凸部３１が作動バー２８の脚部３２に係合するので、作動バー２８が作動してかしめ機構２９を解除させる。そして、最後に初期位置に復帰する。結束が終了した袋ｂは案内通路２４から排出すればよい。図６はクリップａにより袋口２１が結束された状態の袋ｂを示す。３９はかしめ部である。
【００１７】
次に、上記袋結束機には、送り手段１０が操作途中で逆方向に移動できないようにする逆止機構が設けられている。すなわち、図７(a) に詳しく示すように、送り手段１０から突設された送りバー１０ｂの移動方向に沿う側縁部には鋸歯状の係合歯３６が連続形成されている。また、上記送りバー１０ｂの作動中に係合歯３６と対峙する位置には逆止爪３７が配置されている。この逆止爪３７は、上記係合歯３６に斜めに係合可能で、送り手段１０の移動方向に回動可能であるとともに、図示しないバネにより常時係合歯３６に対して直角に向くように付勢して配置されている。さらに、上記送りバー１０ｂの係合歯３６の両端には上記逆止爪３７が係合不可能な欠損部４０、４１が設けられている。そして、送りバー１０ｂは逆止爪３７が両側の欠損部４０、４１と向き合う位置まで往復動するものとして構成されている。
【００１８】
上記逆止機構によれば、送りバー１０ｂが図７(b) の矢印Ａのように移動すると、逆止爪３７は送りバー１０ｂに押されて傾き、送りバー１０ｂが移動端に達すると同図(c) のように逆止爪３７は欠損部４１に臨む位置にくるから中立状態となる。さらに、送りバー１０ｂが同図(d) のように逆方向に移動すると逆止爪３７は送りバー１０ｂに押されて逆向きに傾き、送りバー１０ｂが移動端に達すると同図(a) のように再び逆止爪３７は欠損部４０に臨む初期位置に戻って中立状態となる。そして、送りバー１０ｂを同図(b) のように移動させている途中で停止させ、逆に矢印Ｂ方向に移動させようとすると、逆止爪３７は係合歯３６に係合する。したがって、Ａ方向への移動途中で逆のＢ方向に移動することはできない。
【００１９】
ここで、上述の逆止機構の作動を上記袋結束機の結束作動とともに説明すると、かしめ時に上述のようにハンドル４を往動させてクリップをかしめる操作を行なうときは、送り手段１０及び送りバー１０ｂもハンドル４に従って移動する。このとき、図３及び図７(b) に示されるように、逆止爪３７は係合歯３６に押されて斜めに回動するが、係合歯３６が順方向に移動するため、係合歯３６とは係合しない。
【００２０】
次に、ハンドル４を所定の移動端まで移動させ、かしめ機構２９を作動させると、図４及び図７(c) のように、逆止爪３７は送りバー１０ｂの欠損部４０に対峙し、係合歯３６に対して直角に向く。その後、ハンドル４を逆方向に復帰移動させると、送り手段１０及び送りバー１０ｂも図７(d) のように復動するので、図５及び図７(a) に示すように、その係合歯３６が逆止爪３７を逆方向に回動させて係合歯３６に沿って摺動して図５に示す初期位置に戻る。逆止爪３７は送り手段１０の先端側の欠損部４１に向き合い、係合歯３６に対して中立の初期状態となる。
【００２１】
ところで、かしめ操作するための往動の途中でハンドル操作を停止し、さらに元の位置に復動させようとする場合、すなわち図３及び図７(b) の途中位置までハンドル操作した後、送り手段１０も逆方向に移動しようとすると、係合歯３６が逆止爪３７に係合するから、送り手段１０は逆方向には移動できない。
【００２２】
このように、いったん結束操作を開始したら、結束作業が完全に終了しなければならない。途中で操作を停止することはできない。したがって、結束不良やクリップの詰まり等の現象が発生するのを有効に防止することができる。
【図面の簡単な説明】
【図１】本発明に係る手動式袋結束機の概要を示す側面図
【図２】上記袋結束機の概要を示す平面図
【図３】前進時に送りユニットを結束部に送った状態を示す平面図
【図４】前進時にかしめユニットを作動させた状態を示す平面図
【図５】後退時の作動状態を示す平面図
【図６】袋口が結束された状態の袋の斜視図
【図７】  (a) (b) (c) (d) は本発明に係る逆止機構の作動説明図
【図８】連結クリップの一部の斜視図
【符号の説明】
ａ  クリップ
４  ハンドル
１０  送り手段
１１  送りユニット
２６  かしめユニット
２９  かしめ機構
３６  係合歯
３７  逆止爪
４０、４１  欠損部
【図１】
0004089108.tif 000002
【図２】
0004089108.tif 000003
【図３】
0004089108.tif 000004
【図４】
0004089108.tif 000005
【図５】
0004089108.tif 000006
【図６】
0004089108.tif 000007
【図７】
0004089108.tif 000008
【図８】
0004089108.tif 000009